(57)【特許請求の範囲】
【請求項１】
腹部を覆う前身頃と臀部を覆う後身頃とを両側部及び股部で接合して形成されるガードル本体を少なくとも有するガードルにおいて、
前記ガードル本体の両側部の上下方向寸法より小さい幅の伸縮性材料製帯状体で形成され、ガードル本体の両側部の脚付け根位置近傍にそれぞれ一端部を固定される二つのバンドを備え、
前記ガードル本体の前身頃前面部分が、少なくとも上下方向に前記各バンドの他端部の係着位置を調整可能に形成され、
前記各バンドが、他端部を互いに係合可能とされてなり、
前記ガードル本体の前身頃前面に、緊張状態とされた一方のバンドの他端部が着脱自在に係着されると共に、緊張状態とされた他方のバンドの他端部が前記一方のバンド他端部前側に係合されて、二つのバンドが各々斜め上方への伸長状態で連結、一体化することを
特徴とするガードル。
【請求項２】
前記請求項１に記載のガードルにおいて、
前記バンドより広幅の略帯状体で形成され、前記ガードル本体の両側部で且つ前記バンドより外側の所定箇所にそれぞれ一端部を固定されると共に、他端部をガードル本体の前側で互いに係合可能とされてなる二つの外装体を備えることを
特徴とするガードル。
【発明の詳細な説明】
【０００１】
【発明の属する技術分野】
本発明は腰部各部の補正を行うガードルで、特に股関節の矯正を効果的に行えると共に、着用者に関わりなく一定の着用感を与えられるガードルに関する。
【０００２】
【従来の技術】
衣服の下に着用されるガードルは、一般に、ウエスト部位から下の腰部、腹部、臀部、大腿部などの体型を補整するためのものである。こうしたガードルは、従来、伸縮性に富んだ布地で形成されており、着用されて伸びた状態の布地の復元力により前記各部を締め付けてたるみ等を矯正する仕組みであった。近年、体型に対するより高い矯正効果と共に、骨盤等の骨格への矯正効果を得るために、矯正効果を得ようとする箇所に特に強力な伸縮性を有するバンド状等の補強布地を配設したガードルが実用化されている。こうした従来のガードルの例としては、特開２０００−１３５２３３号公報や、特開２００１−１０４３６９号公報、特開２００１−１９２９０３号公報に記載されるものなどがある。
【０００３】
このような従来のガードルでは、腹部を覆う前身頃と臀部を覆う後身頃とを両側部及び股部で接合して形成されるガードル本体に対し、このガードル本体両側部からガードル本体前身頃中央に向う強伸縮性材料製のバンドがガードル本体と一体に、又は別体に配設される構成が一般的であった。バンドとガードル本体が別体の場合、バンドの一端部はガードル本体両側部に縫着固定されており、また、バンド他端部は左右のバンド同士ガードル本体前側で結合させたり、ガードル本体前面中央部にそれぞれ係止したりしていた。
【０００４】
この他、ガードル本体前身頃に一端部を縫着固定された強伸縮性材料製のバンドをガードル本体後ろ側に廻し、バンド他端部をガードル本体両側部に係止して矯正効果を得るタイプのガードルもあった。
上記構成のガードルは、ガードル本体より強力なバンドによる引締め力で骨盤や股関節等の矯正作用を得ていた。
【０００５】
【発明が解決しようとする課題】
従来のガードルは以上のように構成されており、ガードル本体に対し左右のバンドの各両端位置はほぼ固定された状態で位置調整困難であることから、着用する人の体格によってはバンドによる締付け位置が身体に合わない状態となり、適切な矯正力が得られないばかりでなく、腹部等が過大に圧迫されて不快感の基となったり、血行を悪化させたりすることがあるという課題を有していた。
【０００６】
本発明は前記課題を解消するためになされたもので、体格の個人差に対応して適切な位置での締付けを行うことができ、最適な矯正力で腰部を適正状態に保持できると共に、優れた装着感が得られるガードルを提供することを目的とする。
【０００７】
本発明に係るガードルは、腹部を覆う前身頃と臀部を覆う後身頃とを両側部及び股部で接合して形成されるガードル本体を少なくとも有するガードルにおいて、前記ガードル本体の両側部の上下方向寸法より小さい幅の伸縮性材料製帯状体で形成され、ガードル本体の両側部の脚付け根位置近傍にそれぞれ一端部を固定される二つのバンドを備え、前記ガードル本体の前身頃前面部分が、少なくとも上下方向に前記各バンドの他端部の係着位置を調整可能に形成され、前記各バンドが、他端部を互いに係合可能とされてなり、前記ガードル本体の前身頃前面に、緊張状態とされた一方のバンドの他端部が着脱自在に係着されると共に、緊張状態とされた他方のバンドの他端部が前記一方のバンド他端部前側に係合されて、二つのバンドが各々斜め上方への伸長状態で連結、一体化するものである。
【０００８】
このように本発明においては、ガードル本体両側部にバンドを一対配設すると共に、ガードル本体前身頃の所定範囲をバンド他端部着脱可能状態とし、ガードル着用状態で、バンドに引張り力を与えて所定の緊張状態としつつバンド他端部をガードル本体前身頃に係着すると、両脚付け根部分から内方にバンドで締付け力を与えられることにより、大腿骨上部（大転子）に押圧力を与えて骨盤に対する大腿骨の向きを調整でき、股関節を適正な状態に保持可能となる。また、ガードル本体前身頃の所定範囲内でバンド他端部の係着位置を調整できることにより、体格の違いや大腿骨上部（大転子）位置の個人差に対応してバンドでの締付け位置を変えられ、多様な着用者に対して過大な圧迫等のない適切な締付け状態を等しく与えることができる。
【０００９】
また、二つのバンドの他端部を互いに係合可能とし、他端部の係合でバンドを連結・一体化させることにより、二つのバンド間にガードル本体を介さずにバンドで連続的に締付けられることとなり、ガードル本体両側から前側中央までの各部分で均一な伸長状態が得られ、締付け力を強力且つ均等に内方へ与えることができ、矯正能力をより一層向上させられる。
【００１０】
また、本発明に係るガードルは必要に応じて、前記バンドより広幅の略帯状体で形成され、前記ガードル本体の両側部で且つ前記バンドより外側の所定箇所にそれぞれ一端部を固定されると共に、他端部をガードル本体の前側で互いに係合可能とされてなる二つの外装体を備えるものである。
このように本発明においては、ガードル本体両側に一端を固定される外装体を配設し、装着状態で外装体をガードル本体前側で互いに係合させるとガードル本体前身頃及びこれに係着したバンドを覆った状態となることにより、バンドを外側から見えなくすることができ、通常のガードルと同様の外観が得られ、外側に着用する服にバンドが浮き出るなどの悪影響が現れることもなく、美観を維持できる。
【００１１】
【発明の実施の形態】
以下、本発明の一実施の形態を図１ないし図７に基づいて説明する。図１は本実施の形態に係るガードルの正面図、図２は本実施の形態に係るガードルの展開状態及びベルト係着状態の正面図、図３は本実施の形態に係るガードルのベルト連結状態正面図、図４は本実施の形態に係るガードルの外装体重ね合せ状態正面図、図５は本実施の形態に係るガードルの後方斜視図、図６は本実施の形態に係るガードルの非着用時及び着用時における股関節接合状態説明図、図７は本実施の形態に係るガードルの着用状態説明図である。
【００１２】
前記各図において本実施形態に係るガードル１は、腹部を覆う前身頃１１及び臀部を覆う後身頃１２をそれぞれ両側部及び股部で縫着接合して形成されるガードル本体１０と、このガードル本体１０の両側部の脚付け根位置近傍にそれぞれ一端部を固定される伸縮性材料製の二つのバンド２０、２１と、前記ガードル本体１０の両側部で且つ前記バンド２０、２１より外側にそれぞれ一端部を固定されると共に、他端部をガードル本体１０の前側で互いに係合可能とされてなる一対の外装体３０、３１とを備える構成である。
前記ガードル本体１０は、腰部全体を覆って下腹部や臀部の引締め効果を与えられる公知の形状及び構造であり、詳細な説明を省略する。このガードル本体１０の前身頃１１前面部分は面ファスナの一方を兼ねるパイル地となっている。
【００１３】
前記バンド２０、２１は、所定範囲伸長・復元自在な所定長さの帯状体で形成され、一端部をガードル本体１０の両側部やや後ろ寄りの脚付け根位置付近にそれぞれ一体に縫着される構成である。これらバンド２０、２１の他端部にはガードル本体１０前面のパイル地部分に係合する面ファスナ４０が一体に固定され、バンド２０、２１他端をガードル本体１０の前身頃１１前面に着脱自在に係着させられる。なお、一方のバンド２０の他端部における面ファスナ４０のちょうど反対側の面には、他方のバンド２１の面ファスナ４０と係合可能な所定の面ファスナ４１が固定配設されており、この面ファスナ４１にバンド２１の面ファスナ４０を係合させてバンド２０、２１同士を連結させられる仕組みとなっている。
【００１４】
前記外装体３０、３１は、ガードル本体１０の前身頃１１の横半分を覆う大きさとされる伸縮性材料製帯状体で形成され、一端部をガードル本体１０の両側部におけるバンド２０、２１の縫着部分外側にそれぞれ縫着される構成である。これら外装体３０、３１他端部には、互いに係合可能なフック３２またはフック受け３３が複数組配設されており、ガードル本体１０の前身頃１１中央前方で他端部同士を係合させると、左右の外装体３０、３１でガードル本体１０前面を覆った状態となる。
【００１５】
次に、本実施形態に係るガードルの使用状態について説明する。あらかじめ、外装体３０、３１及びバンド２０、２１の各他端部をガードル本体１０の前身頃１１から離隔させた状態（図２（Ａ）参照）で、着用者はガードル本体１０に脚を入れてそのまま腰部に被せていき、ウエスト部位から下側にガードル本体１０を着用した状態とする。
この着用状態では、ガードル本体１０各部分が腰部にフィットして密着すると共に、下腹部や臀部等に補正効果を与えることとなる。
【００１６】
続いて、ガードル本体１０左右両側から延出している各バンド２０、２１の他端部を引張りつつ、着用したガードル本体１０前面に沿って斜め上方に伸長させ、まずバンド２０他端部を前身頃１１前面に係着させ（図２（Ｂ）参照）、さらに面ファスナ４０、４１同士の係合によりバンド２１他端部をバンド２０前側に係着させ、ガードル本体１０前面と各バンド２０、２１を一体化させる（図３参照）。
【００１７】
こうしてバンド２０、２１他端部をガードル本体１０に係着させたら、バンド２０、２１同様ガードル本体１０左右両側から延出している各外装体３０、３１をバンド２０、２１の外側に重ねてガードル本体１０前面を覆うようにし、さらに外装体３０、３１他端部をガードル本体１０中央部前方に引寄せてこの他端部のフック３２とフック受け３３とを係合すれば、装着完了状態となる。バンド２０、２１は外装体３０、３１に覆われており、バンド２０、２１が外側の衣服表面に浮き出ることはない。
【００１８】
この状態では、ガードル本体１０前面に配置された二本のバンド２０、２１が各々伸長状態で連結していることから、これらバンド２０、２１の弾性復元力に伴う締付け力でバンド２０、２１内方の左右の大腿骨１０１、１０２における各大転子１０１ａ、１０２ａがそれぞれ押圧力を受けることとなり、大腿骨１０１、１０２上部の骨盤１００に対する位置、すなわち、股関節１０３の接合状態が正しく調整される。
【００１９】
そして、バンド２０、２１の配置がバンド２０、２１他端部位置の調整で着用者毎に適応した状態とされているので、着用者に圧迫感などの不快感を与えることもない。また、適切配置とされたバンド２０、２１及びガードル本体１０が、着用者の歩行など腰を大きく動かす運動を経た場合でも、腰部に対し大きくずれることはなく、矯正効果を維持できると共に着用感も変化せず、さらに太股付け根部分にガードル本体１０下縁やバンド２０、２１が強く当ることもなく、着用感が損われない。
【００２０】
このように、本実施の形態に係るガードルにおいては、ガードル本体１０両側部にバンド２０、２１をそれぞれ配設すると共に、ガードル本体１０前身頃とバンド２０、２１他端部にそれぞれ面ファスナ４０、４１を配設して、ガードル本体１０の前身頃１１をバンド２０、２１他端部着脱可能状態とし、ガードル着用状態でバンド２０、２１に引張り力を与えて所定の緊張状態としつつバンド２０、２１他端部をガードル本体１０前身頃に一体化すると、両脚付け根部分から内方にバンド２０、２１で締付け力を与えられることから、大腿骨１０１、１０２上部に押圧力を与えて骨盤１００に対する大腿骨１０１、１０２の向きを調整でき、股関節１０３を適正な接合状態に保持可能となる。また、面ファスナ４０の着脱でバンド２０他端部のガードル本体１０前身頃への係着位置を最も適切な位置に自在に調整できることから、着用者の体格の違いに対応してバンド２０、２１での締付け位置を変えられ、多様な着用者に対して適切な締付け状態を等しく与えることができる。
【００２１】
さらに、本実施の形態に係るガードルにおいては、ガードル本体１０両側に一端を固定される一対の外装体３０、３１を配設し、ガードル着用状態で外装体３０、３１をガードル本体１０前側で互いに係合させるとガードル本体１０前身頃及びこれに係着したバンド２０、２１を覆った状態となることから、バンド２０、２１を外側から見えなくすることができ、通常のガードル同様の外観が得られ、外側に着用する衣服にバンド２０、２１が浮き出るなどの悪影響が現れることもなく、美観を維持できる。
【００２２】
なお、前記実施の形態に係るガードルにおいては、ガードル本体１０の股部は閉じた状態に固定する構成としているが、これに限らず、ガードル本体１０の股部を、前身頃側と後身頃側とで分離・接合自在にする構成とすることもでき、着用者によるガードル着脱時の手間が省け、取扱い性に優れることとなる。
また、前記実施の形態に係るガードルにおいては、ベルト２０、２１を面ファスナ４０、４１の係合により一体に連結する構成としているが、これに限らず、各ベルト２０、２１を連結せず各々ガードル本体１０の前身頃１１前面に係着させる構成とすることもでき、腰部左右で締付け状態を異ならせたい場合にも対応できる。
また、前記実施の形態に係るガードルにおいては、ガードル本体１０外側にベルト２０、２１と共に外装体３０、３１を配設する構成としているが、これに限らず、ガードル本体１０外側にはベルト２０、２１のみ配設する構成とすることもでき、必要最小限の構成としてコストダウンを図れる。
【００２３】
【発明の効果】
以上のように本発明によれば、ガードル本体外側にバンドを一対配設すると共に、ガードル本体前身頃の所定範囲をバンド他端部着脱可能状態とし、ガードル着用状態で、バンドに引張り力を与えて所定の緊張状態としつつバンド他端部をガードル本体前身頃に係着すると、両脚付け根部分から内方にバンドで締付け力を与えられることにより、大腿骨上部に押圧力を与えて骨盤に対する大腿骨の向きを調整でき、股関節を適正な状態に保持可能となるという効果を奏する。また、ガードル本体前身頃の所定範囲内でバンド他端部の係着位置を調整できることにより、体格の違いや大腿骨上部（大転子）位置の個人差に対応してバンドでの締付け位置を変えられ、多様な着用者に対して過大な圧迫等のない適切な締付け状態を等しく与えることができるという効果を有する。
【００２４】
また、本発明によれば、二つのバンドの他端部を互いに係合可能とし、他端部の係合でバンドを連結・一体化させることにより、二つのバンド間にガードル本体を介さずにバンドで連続的に締付けられることとなり、ガードル本体両側から前側中央までの各部分で均一な伸長状態が得られ、締付け力を強力且つ均等に内方へ与えることができ、矯正能力をより一層向上させられるという効果を有する。
【００２５】
また、本発明によれば、ガードル本体両側に一端を固定される外装体を配設し、装着状態で外装体をガードル本体前側で互いに係合させるとガードル本体前身頃及びこれに係着したバンドを覆った状態となることにより、バンドを外側から見えなくすることができ、通常のガードルと同様の外観が得られ、外側に着用する服にバンドが浮き出るなどの悪影響が現れることもなく、美観を維持できるという効果を有する。
【図面の簡単な説明】
【図１】本発明の一実施の形態に係るガードルの正面図である。
【図２】本発明の一実施の形態に係るガードルの展開状態及びベルト係着状態の正面図である。
【図３】本発明の一実施の形態に係るガードルのベルト連結状態正面図である。
【図４】本発明の一実施の形態に係るガードルの外装体重ね合せ状態正面図である。
【図５】本発明の一実施の形態に係るガードルの後方斜視図である。
【図６】本発明の一実施の形態に係るガードルの非着用時及び着用時における股関節状態説明図である。
【図７】本発明の一実施の形態に係るガードルの着用状態説明図である。
【符号の説明】
１                  ガードル
１０                ガードル本体
１１                前身頃
１２                後身頃
２０、２１          バンド
３０、３１          外装体
３２                フック
３３                フック受け
４０、４１          面ファスナ
１００              骨盤
１０１、１０２      大腿骨
１０１ａ、１０２ａ  大転子
１０３              股関節
【図１】
0004639015.tif 000002
【図２】
0004639015.tif 000003
【図３】
0004639015.tif 000004
【図４】
0004639015.tif 000005
【図５】
0004639015.tif 000006
【図６】
0004639015.tif 000007
【図７】
0004639015.tif 000008